(57)【要約】【課題】  撮影状況に応じたファイル分割記録。【解決手段】  画像音声記録再生装置において、１．符号化情報（動きベクトル、ＤＣＴ係数、Ｑスケールなど）に応じてファイルを分割しながら記録し、２．ユーザの操作（ズーム、エフェクトなど）に応じてファイルを分割しながら記録し、３．ファイルサイズが規定時間未満の場合、１または２の条件を満たしてもファイル分割しないという制限を設け、４．ファイルサイズが規定時間以上の場合、１または２の条件を満たしていなくてもファイル分割するという制限を設け、５．分割したファイルの管理情報を同時に記録する、構成になっている。【選択図】        図１
2005260440.tif 000002
【特許請求の範囲】
【請求項１】
撮像素子ならびにマイクからの入力信号を記録、再生する画像音声記録再生装置において、
前記入力信号に対して符号化を行う符号化回路と、
前記圧縮回路において符号化された信号を記録媒体に記録する記録回路と、
前記記録媒体から符号化信号を再生する再生回路と、
前記符号化信号に対して復号化を行う復号化回路と、
前記符号化信号に対してシリアル転送を行う手段を備え、
前記画像音声記録再生装置に信号を記録する際に、前記符号化回路から得られる符号化情報ならびに撮影状況に応じてファイルを分割しながら記録することを特徴とする画像音声記録再生装置。
【請求項２】
前記画像音声記録再生装置において、前記符号化回路で算出される動きベクトル情報ならびに量子化係数情報に応じてファイルを分割しながら記録することを特徴とする請求項１に記載の画像音声記録再生装置。
【請求項３】
前記画像音声記録再生装置において、前記画像音声記録再生装置を使用する撮影者が、前記画像音声記録再生装置に具備されている機能操作を行った場合に、ファイルを分割しながら記録することを特徴とする請求項１に記載の画像音声記録再生装置。
【請求項４】
前記画像音声記録再生装置において、入力信号の音圧変化に応じて、ファイルを分割しながら記録することを特徴とする請求項１に記載の画像音声記録再生装置。
【請求項５】
前記画像音声記録再生装置において、ファイルを分割しながら記録する際に、１つのファイルが規定の時間に満たない場合はファイルを分割しないことを特徴とする請求項１乃至請求項４のいずれかに記載の画像音声記録再生装置。
【請求項６】
前記画像音声記録再生装置において、ファイルを分割しながら記録する際に、１つのファイルが規定の時間以上になる場合は強制的にファイルを分割することを特徴とする請求項１乃至請求項４のいずれかに記載の画像音声記録再生装置。
【請求項７】
前記画像音声記録再生装置において、前記記録媒体にファイルを分割しながら記録すると同時に、前記分割されたファイルに関する管理情報も前記記録媒体に記録することを特徴とする請求項１乃至請求項６のいずれかに記載の画像音声記録再生装置。
【発明の詳細な説明】
【技術分野】
【０００１】
本発明は画像音声記録再生装置に関し、例えば、光ディスクなどのランダムアクセスが可能なメディアを記録媒体にもつビデオカメラ等に用いられる記録手法に関するものである。
【背景技術】
【０００２】
従来、デジタルビデオカメラなどの画像音声記録再生装置に映像信号ならびに音声信号を記録する場合、１回の記録操作で、記録媒体には１つのファイルを作成する手法がとられていた。
【特許文献１】特開平１１−１６３９３４号公報
【特許文献２】特開２０００−１１５６３６号公報
【発明の開示】
【発明が解決しようとする課題】
【０００３】
しかしながら、この方法では記録時間が長いときに作成される１つのファイルサイズも大きくなってしまい、例えばユーザが、記録媒体に記録されているファイルをＰＣに転送した場合、多くの転送時間がかかってしまう。また、ファイルの一部分だけを転送したい場合においても、ファイル全体を転送してしまうので、ユーザの利便性は低いものとなる。
【０００４】
本発明は、上述した従来の技術の有するこのような問題点に関するものであり、その目的とするところは、符号化信号を記録媒体に記録する場合に、小さいサイズのファイルに分割して、それらの管理情報を合わせて記録することで、ユーザの利便性を向上することを目的とした画像音声記録再生装置を提供しようとするものである。
【課題を解決するための手段】
【０００５】
上述した目的を達成するために、本発明の請求項１に係る発明によれば、
撮像素子ならびにマイクからの入力信号を記録、再生する画像音声記録再生装置において、
前記入力信号に対して符号化を行う符号化回路と、
前記圧縮回路において符号化された信号を記録媒体に記録する記録手段と、
前記記録媒体から符号化信号を再生する再生手段と、
前記符号化信号に対して復号化を行う復号化回路と、
前記符号化信号に対してシリアル転送を行う手段を備え、
前記画像音声記録再生装置に信号を記録する際に、撮影状況に応じてファイルを分割しながら記録することを特徴とする。
【０００６】
また、本発明の請求項２に係る発明によれば、
前記画像音声記録再生装置において、前記符号化回路で算出される動きベクトル情報ならびに量子化係数情報に応じてファイルを分割しながら記録することを特徴とする。
【０００７】
また、本発明の請求項３に係る発明によれば、
前記画像音声記録再生装置において、前記画像音声記録再生装置を使用する撮影者が、前記画像音声記録再生装置に具備されている機能操作を行った場合に、ファイルを分割しながら記録することを特徴とする。
【０００８】
また、本発明の請求項４に係る発明によれば、
前記画像音声記録再生装置において、入力信号の音圧変化に応じて、ファイルを分割しながら記録することを特徴とする。
【０００９】
また、本発明の請求項５に係る発明によれば、
前記画像音声記録再生装置において、ファイルを分割しながら記録する際に、１つのファイルが規定の時間に満たない場合はファイルを分割しないことを特徴とする。
【００１０】
また、本発明の請求項６に係る発明によれば、
前記画像音声記録再生装置において、ファイルを分割しながら記録する際に、１つのファイルが規定の時間以上になる場合は強制的にファイルを分割することを特徴とする。
【００１１】
また、本発明の請求項７に係る発明によれば、
前記画像音声記録再生装置において、前記記録媒体にファイルを分割しながら記録すると同時に、前記分割されたファイルに関する管理情報も前記記録媒体に記録することを特徴とする。
【発明の効果】
【００１２】
本発明の画像音声記録再生装置によれば、撮影時の操作状況に応じて画像音声記録再生装置に符号化信号を記録する場合に、小さいサイズのファイルに分割して、それらの管理情報を合わせて記録することで、ＰＣ転送時などにおいてユーザの利便性を向上することができる。
【発明を実施するための最良の形態】
【００１３】
以下、添付の図面に沿って本発明の実施の形態についてデジタルビデオカメラを例にとり説明する。
【実施例】
【００１４】
（第１の実施の形態）
第１の実施の形態を図１ならびに図２に基づき説明する。図１は、第１の実施形態における全体システム構成を示すブロック図であり、図２は第１の実施形態を示すフローチャートである。
【００１５】
第１の実施の形態は、入力手段からの入力信号に応じてファイルを分割しながら記録する形態である。なお、符号化方式としてＭＰＥＧを例にとる。ＭＰＥＧとは、Ｉピクチャの符号化（イントラ符号化）の際にはＤＣＴ変換を用いる符号化を行い、また、ＰピクチャならびにＢピクチャの符号化（インター符号化）の際には、前フレームならびに前後フレームの情報から動きベクトルを利用した符号化を行う。
【００１６】
図１において、１０１は、例えばデジタルビデオカメラにおいて撮像素子ならびにマイクなどの装置内部に存在する画像音声入力手段であり、１０２は、当記録再生装置への入力信号に対して符号化を行う符号化回路であり、１０４は光ディスクのようなランダムアクセスが可能な記録媒体であり、１０３は符号化回路１０２において符号化された信号を記録媒体１０４に記録する記録回路であり、１０５は記録媒体１０４に記録された符号化信号を再生する再生回路であり、１０６は再生回路１０５により再生された符号化信号を復号する復号化回路であり、１０７は復号化回路１０６により復号化された画像音声信号を出力する手段であり、例えばデジタルビデオカメラにおいてファインダやＬＣＤ、スピーカーであり、１０８はＵＳＢやＩＥＥＥ１３９４などのデータ転送Ｉ／Ｆであり、１０９は画像音声記録再生装置に記録されている符号化信号を転送するＰＣであり、１１０は現在符号化を行っている前のフレームからの符号化情報を保存しておくためのバッファであり、１１１はバッファ１１０に保存されている符号化情報と現在符号化を行っているフレームの符号化情報を用いてファイルを分割するかを判定するファイル分割判定回路であり、１１２はシステム全体を制御したり、記録回路１０３にファイル分割命令を送信するＣＰＵ（コントローラ部）である。
【００１７】
図２において、２０１はデジタルビデオカメラに具備されている記録開始スイッチを押すことであり、２０２はｎフレーム目の入力データであり、２０３は符号化回路１０２での符号化処理であり、２０４はｎフレーム目の符号化情報と（ｎ−１）フレーム目の符号化情報をファイル分割判定回路１１１により判定する処理であり、２０５は記録回路１０３にファイル分割命令を出力する処理であり、２０６は記録回路１０３にファイル非分割命令を出力する処理であり、２０７はファイルヘッダならびにファイルの管理情報を作成して記録回路１０３へ送信する処理であり、２０８は記録媒体１０４へ符号化信号を記録する処理であり、２０９はデジタルビデオカメラに具備されている記録終了スイッチが押されたかを判定する処理であり、２１０はｎフレーム目の符号化情報をバッファ１１０へ保存する処理であり、２１１は（ｎ−１）フレームまでの記録時間が規定の時間以上であるかどうかを判断する処理であり、２１２は（ｎ−１）フレームまでの記録時間が規定の時間未満であるかどうかを判断する処理である。
【００１８】
２０１の動作により画像記録再生装置に記録命令が送信され、ｎフレーム目の画像信号ならびに音声信号が画像音声入力手段１０１から画像音声記録再生装置へ入力される。次に２０３において画像音声入力手段１０１からの入力信号が符号化回路１０２へ入力され符号化信号が生成される。
【００１９】
２１１において、（ｎ−１）フレームまでの記録時間が規定の時間（ｔ＿ｍｉｎ）以上であるかを判定し、ｔ＿ｍｉｎ以下であれば２０６においてＣＰＵ１１２から記録回路１０３に対してファイル非分割命令を出力し、２０８において記録媒体１０４に（ｎ−１）フレーム目と同じファイルとして符号化信号を記録する。
【００２０】
２１１において、（ｎ−１）フレームまでの記録時間が規定の時間（ｔ＿ｍｉｎ）以上であるかを判定し、ｔ＿ｍｉｎ以上であれば、２０４においてｎフレーム目での符号化情報と（ｎ−１）フレーム目での符号化情報を比較する。このときバッファ１１０には（ｎ−１）フレーム目を符号化した際に得られる符号化情報が保存されている。また符号化情報とは、映像信号であれば、動きベクトル、ＤＣＴ係数、Ｑスケールなど、音声信号であれば音圧などの情報とする。
【００２１】
２０４において符号化情報の変化量が大きい場合、２０５においてＣＰＵ１１２から記録回路１０３にファイル分割命令を出力し、２０７においてファイルヘッダならびにファイルの管理情報を作成し、２０８において記録媒体１０４に（ｎ−１）フレーム目とは別のファイルとして符号化信号を記録する。
【００２２】
２０４において符号化情報量の変化量が小さい場合、２１２において、（ｎ−１）フレームまでの記録時間が規定の時間（ｔ＿ｍａｘ）以上であるかを判定し、ｔ＿ｍａｘ以下であれば２０６においてＣＰＵ１１２から記録回路１０３に対してファイル非分割命令を出力し、２０８において記録媒体１０４に（ｎ−１）フレーム目と同じファイルとして符号化信号を記録する。
【００２３】
２０４において符号化情報量の変化量が小さい場合、２１２において、（ｎ−１）フレームまでの記録時間が規定の時間（ｔ＿ｍａｘ）以上であるかを判定し、ｔ＿ｍａｘ以上であれば２０５においてＣＰＵ１１２から記録回路１０３に対してファイル分割命令を出力し、２０７においてファイルヘッダならびに管理情報を作成して、２０８において記録媒体１０４に（ｎ−１）フレーム目と同じファイルとして符号化信号を記録する。
【００２４】
以上の動作をデジタルビデオカメラに具備されている記録終了スイッチが押されるまで継続し、記録終了スイッチが押されたら記録を終了する。
【００２５】
また、記録媒体に記録されている符号化信号を再生する際、小ファイル単体を再生する場合には、そのまま小ファイルを再生可能であり、複数の小ファイルを連続して再生する場合には、記録回路１０３において作成した管理情報を用いて再生する。
【００２６】
記録媒体１０４に記録されている符号化信号をＵＳＢならびにＩＥＥＥ１３９４などのデータ転送手段を用いてＰＣ１０９へ転送する場合、記録媒体１０４に記録されている符号化信号は、各々小ファイルとして存在しているので小ファイルごとの転送が可能となる。
【００２７】
（第２の実施の形態）
第２の実施の形態を図３ならびに図４に基づき説明する。図３は、第２の実施形態における全体システム構成を示すブロック図であり、基本的な構成は図１と同じである。また、図４は第２の実施形態を示すフローチャートである。第２の実施の形態は、撮影者の操作状況に応じてファイルを分割しながら記録する形態である。なお、符号化方式としては第１の実施例と同様にＭＰＥＧを例にとる。
【００２８】
図３において、３０１は、例えばデジタルビデオカメラにおいて撮像素子ならびにマイクなどの装置内部に存在する画像音声入力手段であり、３０２は、当記録再生装置への入力信号に対して符号化を行う符号化回路であり、３０４は光ディスクのようなランダムアクセスが可能な記録媒体であり、３０３は符号化回路３０２において符号化された信号を記録媒体３０４に記録する記録回路であり、３０５は記録媒体３０４に記録された符号化信号を再生する再生回路であり、３０６は再生回路３０５により再生された符号化信号を復号する復号化回路であり、３０７は復号化回路３０６により復号化された画像音声信号を出力する出力手段であり、例えばデジタルビデオカメラにおいてファインダやＬＣＤ、スピーカーであり、３０８はＵＳＢやＩＥＥＥ１３９４などのデータ転送Ｉ／Ｆであり、３０９は画像音声記録再生装置に記録されている符号化信号を転送するＰＣであり、３１０は例えばデジタルビデオカメラに具備されているズーム機能などのユーザＩ／Ｆであり、３１１はユーザＩ／Ｆからの入力に応じてファイルを分割するかを判定するファイル分割判定回路であり、３１２はシステム全体を制御したり、記録回路３０３にファイル分割命令を送信するＣＰＵ（コントローラ部）である。
【００２９】
図４において、４０１はデジタルビデオカメラに具備されている記録開始スイッチを押すことであり、４０２はｎフレーム目の入力データであり、４０３は符号化回路３０２での符号化処理であり、４０４はユーザＩ／Ｆからの入力に応じてファイル分割判定回路３１１により判定する処理であり、４０５は記録回路３０３にファイル分割命令を出力する処理であり、４０６は記録回路３０３にファイル非分割命令を出力する処理であり、４０７はファイルヘッダならびにファイルの管理情報を作成して記録回路３０３へ送信する処理であり、４０８は記録媒体３０４へ符号化信号を記録する処理であり、４０９はデジタルビデオカメラに具備されている記録終了スイッチが押されたかを判定する処理であり、４１１は（ｎ−１）フレームまでの記録時間が規定の時間以上であるかどうかを判断する処理であり、４１２は（ｎ−１）フレームまでの記録時間が規定の時間未満であるかどうかを判断する処理である。
【００３０】
４０１の動作により画像記録再生装置に記録命令が送信され、ｎフレーム目の画像信号ならびに音声信号が画像音声入力手段３０１から画像音声記録再生装置へ入力される。次に４０３において画像音声入力手段３０１からの入力信号が符号化回路３０２へ入力され符号化信号が生成される。
【００３１】
４１１において、（ｎ−１）フレームまでの記録時間が規定の時間（ｔ＿ｍｉｎ）以上であるかを判定し、ｔ＿ｍｉｎ以下であれば４０６においてＣＰＵ３１２から記録回路３０３に対してファイル非分割命令を出力し、４０８において記録媒体３０４に（ｎ−１）フレーム目と同じファイルとして符号化信号を記録する。
【００３２】
４１１において、（ｎ−１）フレームまでの記録時間が規定の時間（ｔ＿ｍｉｎ）以上であるかを判定し、ｔ＿ｍｉｎ以上であれば、４０４においてユーザＩ／Ｆ３１０からの入力有無を判断する。なお、ユーザＩ／Ｆ３１０からの入力とは、例えばデジタルビデオカメラにおけるズーム、エフェクトなどの機能を行う動作と同じである。
【００３３】
４０４においてユーザＩ／Ｆ３１０からの入力があった場合、４０５においてＣＰＵ３１２から記録回路３０３にファイル分割命令を出力し、４０７においてファイルヘッダならびにファイルの管理情報を作成し、４０８において記録媒体３０４に（ｎ−１）フレーム目とは別のファイルとして符号化信号を記録する。
【００３４】
４０４においてユーザＩ／Ｆ３１０からの入力がなかった場合、４１２において、（ｎ−１）フレームまでの記録時間が規定の時間（ｔ＿ｍａｘ）以上であるかを判定し、ｔ＿ｍａｘ以下であれば４０６においてＣＰＵ３１２から記録回路３０３に対してファイル非分割命令を出力し、４０８において記録媒体３０４に（ｎ−１）フレーム目と同じファイルとして符号化信号を記録する。
【００３５】
４０４においてユーザＩ／Ｆ３１０からの入力がなかった場合、４１２において、（ｎ−１）フレームまでの記録時間が規定の時間（ｔ＿ｍａｘ）以上であるかを判定し、ｔ＿ｍａｘ以上であれば４０５においてＣＰＵ３１２から記録回路３０３に対してファイル分割命令を出力し、４０７においてファイルヘッダならびに管理情報を作成して、４０８において記録媒体３０４に（ｎ−１）フレーム目と同じファイルとして符号化信号を記録する。
【００３６】
以上の動作をデジタルビデオカメラに具備されている記録終了スイッチが押されるまで継続し、記録終了スイッチが押されたら記録を終了する。
【００３７】
また第１の実施例と同様に、記録媒体に記録されている符号化信号を再生する際、小ファイル単体を再生する場合には、そのまま小ファイルを再生可能であり、複数の小ファイルを連続して再生する場合には、記録回路３０３において作成した管理情報を用いて再生する。
【００３８】
なお、記録媒体３０４に記録されている符号化信号をＵＳＢならびにＩＥＥＥ１３９４などのデータ転送手段を用いてＰＣ３０９へ転送する場合、記録媒体３０４に記録されている符号化信号は、各々小ファイルとして存在しているので小ファイルごとの転送が可能となる。
【００３９】
本実施例においては、ファイル分割判定回路３１１を設けたが、この判定作業は回路として存在せず、ＣＰＵ３１２で処理してもよいものとする。
【図面の簡単な説明】
【００４０】
【図１】実施例１における画像音声記録再生装置の構成を示すブロック図である。
【図２】実施例１におけるシステム動作を示すフローチャートである。
【図３】実施例２における画像音声記録再生装置の構成を示すブロック図である。
【図４】実施例２におけるシステム動作を示すフローチャートである。
【符号の説明】
【００４１】
１０１  画像音声入力手段
１０２  符号化回路
１０３  記録回路
１０４  記録媒体
１０５  再生回路
１０６  復号化回路
１０７  出力手段
１０８  データ転送Ｉ／Ｆ
１０９  ＰＣ
１１０  バッファ
１１１  ファイル分割判定回路
１１２  ＣＰＵ
３０１  画像音声入力手段
３０２  符号化回路
３０３  記録回路
３０４  記録媒体
３０５  再生回路
３０６  復号化回路
３０７  出力手段
３０８  データ転送Ｉ／Ｆ
３０９  ＰＣ
３１０  ユーザＩ／Ｆ
３１１  ファイル分割判定回路
３１２  ＣＰＵ
【図１】
2005260440.tif 000003
【図２】
2005260440.tif 000004
【図３】
2005260440.tif 000005
【図４】
2005260440.tif 000006